(57)【要約】【課題】紐による物品の締結が簡単に行え、かつその解放が容易に行えるような安価な締結具を提供すること。【解決手段】該紐状体（２）の中腹を掛け止める掛け止め部（７）を有すると共に、該掛け止め部に掛け止められた以外の紐状体の自由端側の中腹を折り返す折り返し手段（８）を有する本体部分（４）と、該折り返し手段より自由端側の該紐状体を本体部分に係止する係止手段（６）、（１０）と、を有することを特徴とする緊締具。【選択図】図１
2004255766.tif 000002
【特許請求の範囲】
【請求項１】
紐状体により物体を緊締する緊締具において、
一端を固定された物体を緊締する紐状体と、
該紐状体の中腹を掛け止める掛け止め部を有すると共に、該掛け止め部に掛け止められた以外の紐状体の自由端側の中腹を折り返す折り返し手段を有する本体部分と、
該折り返し手段より自由端側の該紐状体を本体部分に係止する係止手段と、
を有することを特徴とする緊締具。
【請求項２】
前記掛け止め部は、本体部分の端部に設けられた溝であることを特徴とする請求項１に記載の緊締具。
【請求項３】
前記掛け止め部は、本体部分に開けられ前記紐状体を挿通する穴であることを特徴とする請求項１に記載の緊締具。
【請求項４】
本体部分は合成樹脂にて形成されていることを特徴とする請求項１に記載の緊締具。
【請求項５】
本体部分は金属により形成されていることを特徴とする請求項１に記載の緊締具。
【請求項６】
前記係止手段は、該紐状体を本体部分に押しつけて紐状体を係止することを特徴とする請求項１に記載の緊締具。
【請求項７】
前記係止手段は、紐状体の中腹を挟んで紐状体を係止することを特徴とする請求項１に記載の緊締具。
【請求項８】
前記紐状体を係止する部分を本体部分に２カ所以上形成したことを特徴とする請求項１に記載の緊締具。
【発明の詳細な説明】
【０００１】
【発明が属する技術分野】
本発明は、緊締具に関し、特に締め付け・解放をきわめて簡単に行なうことができる簡易型の緊締具の構造に関する。
【０００２】
【従来の技術】
一般的に緊締具と称しても、重機械や電子機器に用いる構造複雑なものから、書類や靴紐を緊締するような簡単軽量のものまである。本発明の緊締具は、後者に属するものである。たとえば、複数枚の書類をファイルに綴じ込む場合、図４に示すように、綴じ込むべき書類１００の縁に貫通穴１０１を２個穿つ。一方、書類１００を綴じ込むべきファイル１０２から二本のストリップ１０３を立設しておき、前記書類にあけた貫通穴１０１にストリップ１０３を挿通した後、押さえ板１０４に設けた挿通穴１０５に書類の貫通穴１０２を通ったストリップ１０３を通し、押さえ板１０４を書類の上に密着させた後、押さえ板１０４に設けたスライダ１０６を矢印方向にスライドさせてストリップ１０３上にスライダ１０６をかぶせて、ストリップ１０３を外側に折り曲げることによって押さえ板１０４を書類１００の上に固定して書類をファイル１０２に綴じる。
【特許文献１】特開２００２−３６２０７５号、
【特許文献２】特開２００２−２８３７８０号、
【特許文献３】特開２００２−２６４５７６号。
【０００３】
【発明が解決しようとする課題】
上述の如き緊締具は極めてポピュラーなものであるが、長期の使用によって、押さえ板１０４のスライダ１０６が緩み、書類１００がファイル１０２から抜け落ちると言うような経験は誰しも有するところである。また、日本古来からの伝統的締結方法として、細紐による蝶結びがあるが、輪状に結んだ紐の中に他方の紐の先端が挿通しているのに気がつかず、紐の先端を引き抜いて、締結を解こうとして、かえって堅く結ばれてしまうような経験も皆持ち合わせているはずである。
【０００４】
本発明は、上述の如き従来の不都合を解消しようとするもので、その目的は、紐による物品の締結が簡単に行え、かつその解放が容易に行えるような安価な締結具を提供することにある。
【０００５】
【課題を解決するための手段】
上述の如き本発明の目的を達成するために、本願の請求項１に記載の発明は、紐状体により物体を緊締する緊締具において、一端を固定された物体を緊締する紐状体と、該紐状体の中腹を掛け止める掛け止め部を有すると共に、該掛け止め部に掛け止められた以外の紐状体の自由端側の中腹を折り返す折り返し手段を有する本体部分と、該折り返し手段より自由端側の該紐状体を本体部分に係止する係止手段と、を有することを特徴とする緊締具を提供する。
本願の請求項２に記載の発明は、請求項１に記載の発明に加えて、前記掛け止め部は、本体部分の端部に設けられた溝であることを特徴とする緊締具を提供する。
本願の請求項３に記載の発明は、請求項１に記載の発明に加えて、前記掛け止め部は、本体部分に開けられ前記紐状体を挿通する穴であることを特徴とする緊締具を提供する。
本願の請求項４に記載の発明は、請求項１に記載の発明に加えて、本体部分は合成樹脂にて形成されていることを特徴とする緊締具を提供する。
本願の請求項５に記載の発明は、請求項１に記載の発明に加えて、本体部分は金属により形成されていることを特徴とする緊締具を提供する。
本願の請求項６に記載の発明は、請求項１に記載の発明に加えて、前記係止手段は、該紐状体を本体部分に押しつけて紐状体を係止することを特徴とする緊締具を提供する。
本願の請求項７に記載の発明は、請求項１に記載の発明に加えて、前記係止手段は、紐状体の中腹を挟んで紐状体を係止することを特徴とする緊締具を提供する。
本願の請求項８に記載の発明は、請求項１に記載の発明に加えて、前記紐状体を係止する部分を本体部分に２カ所以上形成したことを特徴とする緊締具を提供する。
【０００６】
【発明の実施の形態】
次に本発明の一実施の形態を、図面を用いて詳細に説明する。
図１は、本発明の第１の実施例を説明する斜視図である。同図において、１はベースで、ファイルの表紙や、書類などを綴じ込んでおく部分である。２はベース１に一端を固定された綴じ紐（紐状体）である。綴じ紐２は、合成樹脂繊維や天然繊維を編組した周知の紐でよい。３は本発明に係る緊締具である。緊締具３は全体的に合成樹脂で成形されており、本体板４（本体部分）とこれの縁部４−１に形成されたヒンジ５により回動自在に取り付けられた紐固定板６とを有する。
【０００７】
本体板４には前記綴じ紐２の中腹を掛け留めておく２個の溝７，７（掛け止め部）が本体板４の両側端縁に設けられている。本体板４の中程には、折り返し手段となる２本の紐掛け棒８が立設されている。紐掛け棒８の中程は、少し削り取られて、抜け留め部９が形成されている。この抜け留め部９は、前記のごとく削り取った溝でなくともよく、たとえば、先を曲げた鈎型等でもよく、要は、これに掛けられた綴じ紐２の中腹が紐掛け棒８から折り返されたとき、これから抜け落ちないようにして折り返し手段となればよい。
【０００８】
溝７と紐掛け棒８との間には、蒲鉾状に膨らんだ紐止め突条１０が複数状形成されている。紐止め突条１０の表面には、これの長手方向と同方向に筋を刻む等して、綴じ紐の抜けを防止するような手だてが加えられている。これは、本体板４の上に紐固定板６を回動して綴じ紐２中腹の上に押しつけたとき、これを本体板４の上にしっかり固定するための係止手段の一部である。
【０００９】
次に本発明に係る緊締具を使用して、書類等を綴じる動作について説明する。綴じ込もうとする書類の一端縁に、従来と同じように２カ所に貫通穴（従来例の１０１）に、ベース１に一方端を固定されベース１から延びる綴じ紐２の他方の自由端を挿通する。
次に、書類の上に紐固定板６を開いたままの留め具３を書類のうえに載置し、綴じ紐２を本体板４の両端に設けた溝７，７に引きかけ、一端、これら綴じ紐２の先端を互いに１８０°角度が異なる方向に牽引して、留め具３を書類の上に強く押しつけた後、手指を綴じ紐の上から強く押しつける。この状態から綴じ紐２を紐掛け棒８，８部分からＵターンさせてから、綴じ紐２、２の先端を引き、その状態を保ったまま、綴じ紐２の上から紐固定板６を被せ、本体板４の端縁に設けたフック１１を紐固定板６の上面に引っかけて、紐固定板６により綴じ紐２を紐止め突条１０の上に強く押しつけて留め具３を書類の上に固定すると共に書類をベース１の上に綴じ込む。
【００１０】
上記のような綴じ込み動作により、綴じ紐２は、紐止め突条１０と紐固定板６との間に強く挟まれて、綴じ紐２が緩むようなことはない。なお、綴じ紐２の固定力が弱いときには、紐固定板６の裏面にスリット等を設けて、綴じ紐固定に摩擦力を増加するように構成してもよい。
【００１１】
次に本発明の第２の実施例を説明する。
図２は、この実施例を説明するための斜視図である。この実施例の緊締具２１は、金属板を打ち抜き成型して構成されている。緊締具２１は、一端に綴じ紐２３の一方端を固定する紐止め２２が形成され、内側に折り曲げられて、綴じ紐２３の端部を固着している。緊締具２１の本体２４（本体部分）上には、この本体２４から切り起こされ、紐状体２３の中腹を折り返す折り返し手段となるフック２５が形成されている。本体２４の紐止め２２が形成されている部分と反対の端部に紐挟持部２６（紐係止手段）が形成されている。紐挟持部２６は本体２４の一端を析曲されて形成され、端部から根本にかけて順次幅狭となり、紐状体２３の中腹を挟んで掛け止めるスリット２７が設けられている。また、紐挟持部２６の近傍には、綴じ紐２３を挿通する穴２８（紐状体２３の中腹を本体２４に掛け止める掛け止め手段）が形成されている。図３は、第２の実施例の留め具２１を開いた正面図である。
【００１２】
次に第２の実施例の作用について説明する。
例えば鉛筆等束ねようとするもに対し、綴じ紐２３を束ねるものの周囲に巻き付け、綴じ紐２３の一方端を本体２４に設けた穴２８に挿通し、この綴じ紐２３をフック２５に掛けてから、綴じ紐２３の先端を引き、束ねようとするものを綴じ紐２３で強く束ねる。その後、綴じ紐２３を紐挟持部２６のスリット２７に挟みつける。この動作により、綴じ紐２３は紐挟持部２６のスリット２７にはさみつけられて、容易に外れることが無く、鉛筆等の束ねられるものは、本発明に係る緊締具により束ねられる。緊締を解く場合は、スリット２７に挟みつけられている綴じ紐２３を外し、フック２５からも外し、穴２８から綴じ紐を抜き去れば、緊締は簡単に解ける。
【００１３】
以上、本発明を上述の実施の形態により説明したが、例えば、上記実施例の紐固定板６の中腹から切り離して、本体板４上に２カ所の固定板を各々独立して開閉できるように構成して、実質的に２カ所以上の緊締部分を形成するなど、本発明の主旨の範囲内で種々の変形や応用が可能であり、これらの変形や応用を本発明の範囲から排除するものではない。
【００１４】
【発明の効果】
以上詳細に説明したように、本願の請求項１に記載の発明は、物品を」緊締する紐状体を本体部分に形成した掛け止め部で折り返して、該紐状体を本体に設けた係止手段でこれに係止するように構成しているので、極めて簡単に物品を緊締することができ、かつ緊締を解くときは、係止手段に掛け止められた紐状体を簡単に外すだけで物品の緊締を解くことができる。しかも、物品を緊締している間中、紐状体が係止手段からはずれにくいので、確実な緊締動作を達成する。しかも構造が簡単なので、極めて安価である。
本願の請求項２に記載の発明は、上記請求項１に記載の発明に加えて、掛け止め部は溝であるので、これに紐状体を係止したり外す動作が簡単にできる。
本願の請求項３に記載の発明は、上記請求項１に記載の発明に加えて、掛け止め部は穴であるので、紐状体を確実に本体部分に係止できる。
本願の請求項４に記載の発明は、上記請求項１に記載の発明に加えて、本体部分を合成樹脂の成型品で構成しているので、リサイクル品で形成できる。
本願の請求項５に記載の発明は、上記請求項１に記載の発明に加えて、本体部分を金属で構成しているので、例えば空き缶の鉄板などのリサイクル品で形成することができる。
本願の請求項６に記載の発明は、上記請求項１に記載の発明に加えて、係止手段は、紐状体の中腹を本体部分に押しつけて紐状体を係止しているので、紐状体の係止が極めて確実になされるとともに、単に紐状体の押しつけを解くだけで物品の緊締を解くことができる。
本願の請求項７に記載の発明は、上記請求項１に記載の発明に加えて、係止手段は、紐状体の中腹を本体部分にはさみつけて紐状体を係止しているので、紐状体の係止が極めて確実になされるとともに、単に紐状体を引っ張って本体部分からこれを外すだけで物品の緊締を解くことができる。
本願の請求項８に記載の発明は、上記請求項１に記載の発明に加えて、紐状体を本体部分に複数箇所形成しているので、物品を複数本の紐状体で緊締している場合、緊締を修正するときなど、全部の紐状体を解くことなく、必要な紐状体のみを外すだけで、その修正が可能である。
【図面の簡単な説明】
【図１】図１は、本発明の第１実施例の斜視図である。
【図２】図２は、本発明の第２実施例の斜視図である。
【図３】図３は、本発明の第２実施例の展開図である。
【図４】図４は、従来例を示す斜視図である。
【符号の説明】
１−−−ベース
２−−−綴じ紐
３−−−緊締具
４ーーー本体板
４−１ー縁部
５−−−ヒンジ
６ーーー紐固定板
７−−−溝
８−−−紐掛け棒
９ーーー抜け留め部
１０−−−紐止め突条
１１ーーーフック
２１ーーー緊締具
２２ーーー紐止め
２３ーーー綴じ紐
２４ーーー本体
２５ーーーフック
２６ーーー紐挟持部
２７ーーースリット
２８ーーー穴
１００―――書類
１０１―――貫通穴
１０２―――ファイル
１０３―――ストリップ
１０４ーーー留め金具
１０５ーーー挿通穴
１０６ーーースライダ
【図１】
2004255766.tif 000003
【図２】
2004255766.tif 000004
【図３】
2004255766.tif 000005
【図４】
2004255766.tif 000006